【事件の表示】
　平成１１年特許願第３０６６４７号「情報処理装置および方法、並びに記録媒体」拒絶査定不服審判事件〔平成１３年　５月１１日出願公開、特開２００１−１２５９１３〕について、次のとおり審決する。
【結　論】
　本件審判の請求は、成り立たない。
【理　由】
１．手続の経緯
　本願は、平成１１年１０月２８日の出願であって、平成２１年２月２５日付けで拒絶理由通知がなされ、同年５月１１日付けで手続補正がなされたが、同年８月４日付けで拒絶査定がなされ、これに対し、同年１０月２日に拒絶査定不服審判の請求がなされるとともに、同日付けで手続補正がなされたものである。
　
２．平成２１年１０月２日付けの手続補正についての補正却下の決定
［補正却下の決定の結論］
　平成２１年１０月２日付けの手続補正（以下、「本件手続補正」という。）を却下する。
　
［理由］
（１）補正後の請求項１に係る発明
　本件手続補正により、特許請求の範囲の請求項１は、
「アイコンの内、上位の階層の複数の第１のアイコン、および前記第１のアイコンより下位の階層の複数の第２のアイコンが、所定の数の列または行に、階層の順番に従って、表示されるように、表示する領域の広さに対応して表示を制御する第１の表示制御手段と、
　所定のキーの第１の方向の操作に対応してより下位の前記アイコンを指定し、前記キーの第２の方向の操作に対応してより上位の前記アイコンを指定し、前記キーの第３の方向または第４の方向の操作に対応して同一の階層のアイコンを指定する指定手段と、
　前記指定手段の前記第１の方向の操作に対応して前記第２のアイコンが指定された場合、前記第２のアイコンより下位の第３のアイコンを、新たな前記第２のアイコンとして表示させ、かつ、それまでの前記第２のアイコンを、新たな前記第１のアイコンとして表示させるか、または、前記指定手段により前記第１のアイコンが指定された場合、前記第１のアイコンより上位の第４のアイコンを、新たな前記第１のアイコンとして表示させ、かつ、それまでの前記第１のアイコンを、新たな前記第２のアイコンとして表示させるように前記アイコンの表示の更新を制御する第２の表示制御手段とを備え、
　前記第２の表示制御手段は、表示させる前記アイコンを更新するとき、更新後に表示される前記第２のアイコンの前記第１の方向における表示位置が、更新前に表示されていた前記第１のアイコンの前記第１の方向における表示位置と同じになるように、前記第１のアイコンと前記第２のアイコンを前記第１の方向にスクロールさせるように表示を制御する
　ことを特徴とする情報処理装置。」
と補正された。
　
　上記補正は、補正前の請求項１において「前記第２の表示制御手段は、表示させる前記アイコンを更新するとき、前記第１のアイコンと前記第２のアイコンを前記第１の方向にスクロールさせるように表示を制御する」ことを「前記第２の表示制御手段は、表示させる前記アイコンを更新するとき、
更新後に表示される前記第２のアイコンの前記第１の方向における表示位置が、更新前に表示されていた前記第１のアイコンの前記第１の方向における表示位置と同じになるように、
　そこで、本件手続補正後の上記請求項１に係る発明（以下、「本願補正発明」という。）が特許出願の際独立して特許を受けることができるものであるか（平成１８年法律第５５号改正附則第３条第１項によりなお従前の例によるとされる同法による改正前の特許法第１７条の２第５項において準用する同法第１２６条第５項の規定に適合するか）について、以下に検討する。
　
（２）引用例
　原査定の拒絶の理由に引用された特開平９−２１４９０５号公報（以下、「引用例」という。）には、それぞれ、図面とともに次の事項が記載されている。
　
Ａ．「【００４７】すなわち、ステップＳ１１において、ＣＰＵ７は、データ放送デコーダ５を制御して、データストレージ９に蓄積されている電子情報のデータを読み出させる。データ放送デコーダ５は、読み出した電子情報のデータをデータ表示ビデオ回路６に供給する。データ表示ビデオ回路６は、供給された電子情報のデータをビデオ信号に変換して出力切換回路８に出力する。このとき、出力切換回路８は、ＣＰＵ７の制御に対応して、データ表示ビデオ回路６から出力された電子情報のビデオ信号をモニタ装置１１に出力するように切り換えられている。電子情報のビデオ信号がモニタ装置１１に入力されると、モニタ装置１１の画面には、次に示す表示が行われる。
【００４８】すなわち、本実施例においては、モニタ装置１１の画面が、図６に示すように、２つの領域（図中、左側に表示される領域Ｘ１と、右側に表示される領域Ｘ２）に区分され、領域Ｘ１に第Ｎ階層の画面が表示され、領域Ｘ２に第（Ｎ＋１）階層の画面が表示される。
【００４９】いまの場合、このステップＳ１１（第１の表示手段、第２の表示手段）においては、図７に示すように、第１階層（トップメニュー）の画像が、領域Ｘ１に表示される。第１階層の各項目（「観光案内」、「イベント」、「スポーツ」、「生活情報」、「タウン情報」、「ショッピング情報」、「ビジネス」）は、それぞれ、画面の縦方向に並べられている。また、領域Ｘ１には、縦方向に移動可能なカーソル１００Ｋ１（指定手段）が表示されている。ユーザは、リモートコマンダ１０のアップボタンスイッチ１２４またはダウンボタンスイッチ１２５を操作することによって、カーソル１００Ｋ１を所望の項目上に移動、表示させることができる。
【００５０】次に、ステップＳ１２（第３の表示手段）においては、領域Ｘ１に表示されている階層（いまの場合、第１階層）中のカーソル（いまの場合、カーソル１００Ｋ１）の表示されている項目についての、次の階層（第２階層）が領域Ｘ２に表示される。」
　
Ｂ．「【００６０】本実施例においては、領域Ｘ１に表示されている階層中のカーソルが所定の項目上に表示され、その項目についての次の階層が領域Ｘ２に表示されている。この状態において、ライトボタンスイッチ１２７が操作されると、領域Ｘ２に表示されている階層の次の階層が表示される。
【００６１】そこで、ステップＳ１６において、ＣＰＵ７は、ライトボタンスイッチ１２７が押されたか否かを判定する。ライトボタンスイッチ１２７が押されたと判定された場合、ステップＳ１７に進み、現在、領域Ｘ２に表示されている階層が最終の階層であるか否かが判定される。領域Ｘ２に表示されている階層が最終の階層ではないと判定された場合、ステップＳ１８に進み、最終の階層であると判定された場合、ステップＳ１９に進む。
【００６２】なお、いまの場合、領域Ｘ２に表示されている階層は第２階層であり、本実施例においては、図２に示すように、第２階層以降の階層が存在しているので、ステップＳ１８に進む。
【００６３】ステップＳ１８においては、領域Ｘ１に表示されている階層及び領域Ｘ２に表示されている階層が、画面の左方向にスクロールされ（カーソルが右方向にスクロールされ）、領域Ｘ２に表示されていた階層が領域Ｘ１に表示され、カーソルが所定の項目上に表示される。
【００６４】すなわち、図１０に示す状態において、ライトボタンスイッチ１２７が１回操作されると、図１１（ａ），（ｂ）に示すように、第１階層及び第２階層が画面の左方向にスクロールする。そして、ライトボタンスイッチ１２７が操作される前に、領域Ｘ２に表示されていた第２階層が領域Ｘ１の位置に表示され、カーソル１００Ｋ２が、所定の項目上に（例えば、「料理」の項目上に）表示される。」
　
Ｃ．「【００７３】一方、例えば、図１３に示すように、第３階層が領域Ｘ１に表示されている場合において、レフトボタンスイッチ１２６が押されると、第３階層の前に階層が存在する（例えば、第２階層が存在する）と判定され、ステップＳ２２に進む。
【００７４】ステップＳ２２においては、領域Ｘ１に表示されていた階層が右方向にスクロールされ（カーソルが左方向にスクロールされ）、領域Ｘ２に表示されるとともに、領域Ｘ１に１つ前の階層が表示される。例えば、図１３に示すように第３階層が領域Ｘ１に表示され、第４階層が領域Ｘ２に表示されている状態において、レフトボタンスイッチ１２６が押されると、第３階層及び第４階層は、右方向にスクロールされ、第３階層が領域Ｘ２に表示される。そして、領域Ｘ１には、第３階層の１つ前の階層である第２階層が表示される（すなわち、図１２の状態になる）。なお、ステップＳ２２の処理が終了すると、ステップＳ１２に戻り、以上に説明した処理が繰り返される。」
　
　上記Ａ．には、電子情報表示制御装置１内のデータ放送デコーダ５やデータ表示ビデオ回路６などを用いて、第Ｎ階層の複数の項目を領域Ｘ１に表示し、第（Ｎ＋１）階層の複数の項目を領域Ｘ２に表示するように制御することが示されている。そして、引用例の図２を参照すると、第Ｎ階層は、第（Ｎ＋１）階層より上位の階層であるといえるから、引用例の「電子情報表示制御装置」は、「項目の内、上位の階層の複数の項目を領域Ｘ１に表示し、前記領域Ｘ１に表示されている項目より下位の階層の複数の項目を領域Ｘ２に表示するように制御する第１の表示制御手段」と呼び得る構成を有しているといえる。
　また、上記Ｂ．には、リモートコマンダのライトボタンスイッチが操作された場合、領域Ｘ２に表示されている項目より下位の項目を、領域Ｘ２に表示させ、かつ、領域Ｘ２に表示されていた項目を領域Ｘ１に表示させるように項目の表示の更新をすることが示されており、さらに、上記Ｃ．には、リモートコマンダのレフトボタンスイッチが操作された場合、領域Ｘ１に表示されている項目より上位の項目を、領域Ｘ１に表示させ、かつ、領域Ｘ１に表示されていた項目を領域Ｘ２に表示させるように項目の表示の更新をすることが示されていることから、引用例の「電子情報表示制御装置」は、上記のように項目の表示の更新を制御する「第２の表示制御手段」と呼び得る構成を有しているといえる。
　
　上記Ｂ．には、ライトボタンスイッチが操作されると、下位の項目上にカーソルを移動させることが記載されていることから、引用例の「リモートコマンダ」は、「ライトボタンスイッチの操作に対応してより下位の項目を指定」するものであるといえる。
　同様に、上記Ｃ．には、レフトボタンスイッチが操作されると、上位の項目上にカーソルを移動させることが記載されており、また、上記Ａ．には、アップボタンスイッチまたはダウンボタンスイッチが操作されると、同一の階層の項目上にカーソルを移動させることが記載されていることから、引用例の「リモートコマンダ」は、「レフトボタンスイッチの操作に対応してより上位の項目を指定し、アップボタンスイッチまたはダウンボタンスイッチの操作に対応して同一の階層の項目を指定」するものであるともいえる。
　
　引用例の図１０〜１２を参照すると、引用例の「電子情報表示制御装置」は、「表示させる項目を更新するとき」、「領域Ｘ１に表示されている項目と、領域Ｘ２に表示されている項目を右方向にスクロールさせるように」表示の制御を行っており、その際に、「更新後に領域Ｘ２に表示される項目の水平方向における表示位置」が、「更新前に領域Ｘ１に表示されていた項目の水平方向における表示位置」と「同じ」になるような制御をしているといえる。
　
　よって、上記Ａ．〜Ｃ．の記載及び関連する図面を参照すると、引用例には、次の発明が記載されているものと認められる。（以下、「引用例記載の発明」という。）
「項目の内、上位の階層の複数の項目を領域Ｘ１に表示し、前記領域Ｘ１に表示されている項目より下位の階層の複数の項目を領域Ｘ２に表示するように制御する第１の表示制御手段と、
　ライトボタンスイッチの操作に対応してより下位の前記項目を指定し、レフトボタンスイッチの操作に対応してより上位の前記項目を指定し、アップボタンスイッチまたはダウンボタンスイッチの操作に対応して同一の階層の項目を指定するリモートコマンダと、
　前記リモートコマンダの前記ライトボタンスイッチが操作された場合、前記領域Ｘ２に表示されている項目より下位の項目を、前記領域Ｘ２に表示させ、かつ、前記領域Ｘ２に表示されていた項目を前記領域Ｘ１に表示させるか、または、前記リモートコマンダの前記レフトボタンスイッチが操作された場合、前記領域Ｘ１に表示されている項目より上位の項目を、前記領域Ｘ１に表示させ、かつ、前記領域Ｘ１に表示されていた項目を前記領域Ｘ２に表示させるように前記項目の表示の更新を制御する第２の表示制御手段とを備え、
　前記第２の表示制御手段は、表示させる前記項目を更新するとき、更新後に前記領域Ｘ２に表示される項目の水平方向における表示位置が、更新前に前記領域Ｘ１に表示されていた項目の水平方向における表示位置と同じになるように、前記領域Ｘ１に表示されている項目と、前記領域Ｘ２に表示されている項目を右方向にスクロールさせるように表示を制御する
　ことを特徴とする電子情報表示制御装置。」
　
（３）対比
　本願補正発明と引用例記載の発明とを対比すると、次のことがいえる。
　
（あ）本願補正発明における「アイコン」は、選択する項目を表現した画像を意味するものであるから、「項目」と呼び得るものである。
　
（い）引用例の図７などを参照すると、引用例記載の発明は、複数の項目が、所定の数の列または行に、階層の順番に従って、表示されるように制御するものである。そして、引用例記載の発明の「領域Ｘ１に表示する項目」、「領域Ｘ２に表示する項目」は、それぞれ、本願補正発明の「複数の第１のアイコン」、「複数の第２のアイコン」に対応するものであるから、引用例記載の発明における「項目の内、上位の階層の複数の項目を領域Ｘ１に表示し、前記領域Ｘ１に表示されている項目より下位の階層の複数の項目を領域Ｘ２に表示するように制御する第１の表示制御手段」と、本願補正発明における「アイコンの内、上位の階層の複数の第１のアイコン、および前記第１のアイコンより下位の階層の複数の第２のアイコンが、所定の数の列または行に、階層の順番に従って、表示されるように、表示する領域の広さに対応して表示を制御する第１の表示制御手段」とは、ともに、「項目の内、上位の階層の複数の第１の項目、および前記第１の項目より下位の階層の複数の第２の項目が、所定の数の列または行に、階層の順番に従って、表示されるように、表示を制御する第１の表示制御手段」である点で共通するものである。
　
（う）引用例記載の発明における「ライトボタンスイッチ」、「レフトボタンスイッチ」、「アップボタンスイッチまたはダウンボタンスイッチ」、「リモートコマンダ」は、それぞれ、本願補正発明における「所定のキーの第１の方向」、「前記キーの第２の方向」、「前記キーの第３の方向または第４の方向」、「指定手段」に相当するものである。
　
（え）上記（２）Ｂ．を参照すると、引用例には、ライトボタンスイッチが操作されると、領域Ｘ２に表示されている項目上にカーソルを移動させることが記載されていることから、引用例記載の発明において「リモートコマンダのライトボタンスイッチが操作された場合」というのは、「リモートコマンダのライトボタンスイッチの操作に対応して領域Ｘ２に表示されている項目が指定された場合」を意味するものである。
　そして、引用例記載の発明における「領域Ｘ２に表示されている項目より下位の項目」は、本願補正発明における「第２のアイコンより下位の第３のアイコン」に対応するものであるから、引用例記載の発明において「リモートコマンダのライトボタンスイッチが操作された場合、領域Ｘ２に表示されている項目より下位の項目を、前記領域Ｘ２に表示させ、かつ、前記領域Ｘ２に表示されていた項目を前記領域Ｘ１に表示させる」ことと、本願補正発明において「指定手段の第１の方向の操作に対応して第２のアイコンが指定された場合、前記第２のアイコンより下位の第３のアイコンを、新たな前記第２のアイコンとして表示させ、かつ、それまでの前記第２のアイコンを、新たな第１のアイコンとして表示させる」こととは、ともに、「指定手段の第１の方向の操作に対応して第２の項目が指定された場合、前記第２の項目より下位の第３の項目を、新たな前記第２の項目として表示させ、かつ、それまでの前記第２の項目を、新たな第１の項目として表示させる」ことである点で共通するものである。
　
（お）本願補正発明において「前記指定手段により前記第１のアイコンが指定された場合」というのは、本願明細書の対応する記載（段落【０２１２】〜【０２１４】、図３１）を参照すると、「指定手段の第２の方向の操作に対応して上位の階層の第１のアイコンが指定された場合」を意味するものと解される。
　一方、上記（２）Ｃ．を参照すると、引用例には、レフトボタンスイッチが操作されると、上位の項目上にカーソルを移動させることが記載されていることから、引用例記載の発明において「リモートコマンダのレフトボタンスイッチが操作された場合」というのは、「リモートコマンダのレフトボタンスイッチの操作に対応して上位の項目が指定された場合」を意味するものである。
　そして、引用例記載の発明における「領域Ｘ１に表示されている項目より上位の項目」は、本願補正発明における「第１のアイコンより上位の第４のアイコン」に対応するものであるから、引用例記載の発明において「リモートコマンダのレフトボタンスイッチが操作された場合、領域Ｘ１に表示されている項目より上位の項目を、前記領域Ｘ１に表示させ、かつ、前記領域Ｘ１に表示されていた項目を領域Ｘ２に表示させるように前記項目の表示の更新を制御する」ことと、本願補正発明における「指定手段により第１のアイコンが指定された場合、前記第１のアイコンより上位の第４のアイコンを、新たな前記第１のアイコンとして表示させ、かつ、それまでの前記第１のアイコンを、新たな第２のアイコンとして表示させるように前記アイコンの表示の更新を制御する」こととは、ともに、「指定手段により第１の項目が指定された場合、前記第１の項目より上位の第４の項目を、新たな前記第１の項目として表示させ、かつ、それまでの前記第１の項目を、新たな第２の項目として表示させるように前記項目の表示の更新を制御する」ことである点で共通するものである。
　
（か）引用例記載の発明において「表示させる前記項目を更新するとき、更新後に領域Ｘ２に表示される項目の水平方向における表示位置が、更新前に領域Ｘ１に表示されていた項目の水平方向における表示位置と同じになるように、前記領域Ｘ１に表示されている項目と、前記領域Ｘ２に表示されている項目を右方向にスクロールさせるように表示を制御するように前記項目の表示の更新を制御する」ことと、本願補正発明における「表示させる前記アイコンを更新するとき、更新後に表示される第２のアイコンの第１の方向における表示位置が、更新前に表示されていた第１のアイコンの前記第１の方向における表示位置と同じになるように、前記第１のアイコンと前記第２のアイコンを前記第１の方向にスクロールさせるように表示を制御するように前記アイコンの表示の更新を制御する」こととは、ともに、「表示させる項目を更新するとき、更新後に表示される第２の項目の第１の方向における表示位置が、更新前に表示されていた第１の項目の前記第１の方向における表示位置と同じになるように、前記第１の項目と前記第２の項目を前記第１の方向にスクロールさせるように表示を制御するように前記項目の表示の更新を制御する」ことである点で共通するものである。
　
（き）引用例記載の発明における「電子情報表示制御装置」は、情報を表示処理するものであるから「情報処理装置」と呼び得るものである。
　
　上記（あ）〜（き）の事項を踏まえると、本願補正発明と引用例記載の発明とは、次の点で一致し、また、相違するものと認められる。
　
（一致点）
　本願補正発明と引用例記載の発明とは、ともに、
「項目の内、上位の階層の複数の第１の項目、および前記第１の項目より下位の階層の複数の第２の項目が、所定の数の列または行に、階層の順番に従って、表示されるように、表示を制御する第１の表示制御手段と、
　所定のキーの第１の方向の操作に対応してより下位の前記項目を指定し、前記キーの第２の方向の操作に対応してより上位の前記項目を指定し、前記キーの第３の方向または第４の方向の操作に対応して同一の階層の項目を指定する指定手段と、
　前記指定手段の前記第１の方向の操作に対応して前記第２の項目が指定された場合、前記第２の項目より下位の第３の項目を、新たな前記第２の項目として表示させ、かつ、それまでの前記第２の項目を、新たな前記第１の項目として表示させる、または、前記指定手段により前記第１の項目が指定された場合、前記第１の項目より上位の第４の項目を、新たな前記第１の項目として表示させ、かつ、それまでの前記第１の項目を、新たな前記第２の項目として表示させるように前記項目の表示の更新を制御する第２の表示制御手段とを備え、
　前記第２の表示制御手段は、表示させる前記項目を更新するとき、更新後に表示される前記第２の項目の前記第１の方向における表示位置が、更新前に表示されていた前記第１の項目の前記第１の方向における表示位置と同じになるように、前記第１の項目と前記第２の項目を前記第１の方向にスクロールさせるように表示を制御する
　ことを特徴とする情報処理装置。」
である点。
　
（相違点）
　相違点１：表示制御する「項目」が、本願補正発明においては、「アイコン」であるのに対し、引用例記載の発明は、「アイコン」であるとはされていない点。
　
　相違点２：本願補正発明は、表示する領域の広さに対応して、所定の数の列または行のアイコンが表示されるように制御しているのに対し、引用例記載の発明は、そのような制御をするとはされていない点。
　
（４）判断
　そこで、上記相違点１，２について検討する。
　
（相違点１について）
　一般に、選択項目をアイコンを用いて表示することは、ごく普通に行なわれていることであるあから、引用例記載の発明においても表示する「項目」を、「アイコン」を用いて表示するようにすることは、当業者が適宜なし得ることである。
　
（相違点２について）
　一般に、複数の項目を表示する場合に、表示する領域の広さと、表示する項目の大きさとに応じて、一度に表示する項目の数を制御するようにすることは、ごく普通に行なわれていることであるから、複数の階層の項目を同一画面内に表示させるようにした引用例記載の発明において、表示する領域の広さに応じて、所定の数の列または行の項目が表示されるような制御を行うようにすることは、当業者が容易に想到し得ることである。
　
（本願補正発明の作用効果について）
　そして、本願補正発明の構成によってもたらされる効果も、引用例記載の発明から当業者が容易に予測することができる程度のものであって、格別のものとはいえない。
　
　したがって、本願補正発明は、引用例記載の発明に基いて、当業者が容易に発明をすることができたものであるから、特許法第２９条第２項の規定により、特許出願の際独立して特許を受けることができないものである。
　
（５）むすび
　よって、本件手続補正は、平成１８年法律第５５号改正附則第３条第１項によりなお従前の例によるとされる同法による改正前の特許法第１７条の２第５項において準用する同法第１２６条第５項の規定に違反するものであり、特許法第１５９条第１項において読み替えて準用する同法第５３条第１項の規定により却下されるべきものである。
　
３．補正却下の決定を踏まえた検討
（１）本願発明
　平成２１年１０月２日付けの手続補正は、上記のとおり却下されたので、本願の請求項１に係る発明は、平成２１年５月１１日付け手続補正書の特許請求の範囲の請求項１に記載されたとおりの次のものと認める。（以下、「本願発明」という。）
「アイコンの内、上位の階層の複数の第１のアイコン、および前記第１のアイコンより下位の階層の複数の第２のアイコンが、所定の数の列または行に、階層の順番に従って、表示されるように、表示する領域の広さに対応して表示を制御する第１の表示制御手段と、
　所定のキーの第１の方向の操作に対応してより下位の前記アイコンを指定し、前記キーの第２の方向の操作に対応してより上位の前記アイコンを指定し、前記キーの第３の方向または第４の方向の操作に対応して同一の階層のアイコンを指定する指定手段と、
　前記指定手段の前記第１の方向の操作に対応して前記第２のアイコンが指定された場合、前記第２のアイコンより下位の第３のアイコンを、新たな前記第２のアイコンとして表示させ、かつ、それまでの前記第２のアイコンを、新たな前記第１のアイコンとして表示させるか、または、前記指定手段により前記第１のアイコンが指定された場合、前記第１のアイコンより上位の第４のアイコンを、新たな前記第１のアイコンとして表示させ、かつ、それまでの前記第１のアイコンを、新たな前記第２のアイコンとして表示させるように前記アイコンの表示の更新を制御する第２の表示制御手段とを備え、
　前記第２の表示制御手段は、表示させる前記アイコンを更新するとき、前記第１のアイコンと前記第２のアイコンを前記第１の方向にスクロールさせるように表示を制御する
　ことを特徴とする情報処理装置。」
　
（２）引用例
　これに対して、原査定の拒絶の理由に引用された引用例とその記載事項は、上記２．（２）に記載したとおりである。
　
（３）対比・判断
　本願発明は、上記２．で検討した本願補正発明において「前記第２の表示制御手段は、表示させる前記アイコンを更新するとき、
更新後に表示される前記第２のアイコンの前記第１の方向における表示位置が、更新前に表示されていた前記第１のアイコンの前記第１の方向における表示位置と同じになるように、
　
　そうすると、本願発明の構成要件を全て含み、さらに特定の限定を施したものに相当する本願補正発明が、上記２．（４）に記載したとおり、引用例記載の発明に基いて、当業者が容易に発明をすることができたものであるから、上記特定の限定を省いた本願発明は、同様に、引用例記載の発明に基いて、当業者が容易に発明をすることができたものである。
　
（４）むすび
　以上のとおり、本願発明は、引用例記載の発明に基いて、当業者が容易に発明をすることができたものであるから、特許法第２９条第２項の規定により特許を受けることができない。
　したがって、本願は、他の請求項について検討するまでもなく、拒絶されるべきものである。
　よって、結論のとおり審決する。